(57)【特許請求の範囲】
【請求項１】
複数の等長ジグザグ螺旋条を組合せ、かつ両端部を揃え、該ジグザグ螺旋条のそれぞれ両端部に軸線挿通用リングを形成してほぼ長方形菱形金網を形成し、
複数の上記菱形金網を上記ジグザグ螺旋条の方向に上記リングを重合させて接続配置し、
上記重合リングに鉄線又は紐類による軸線を挿通し、該軸線の両側に配置した上記菱形金網を該軸線を中心として開閉自在に接続して単位金網を形成してなる組立用金網であって、
上記菱形金網が上記ジグザグ螺旋条の方向に長く、上記軸線方向に短いほぼ長方形であり、
地面に設けた立柱間に、上記単位金網を縦方向に、横方向の上記軸線で接続し、上記単位金網を横方向に複数列接続して、両側の単位金網を上記立柱間に挿入されたコイルにより結線すると共に、上記単位金網の横方向に隣接する上記菱形金網は縦向連結線によって横方向に接続することにより金網フェンスを形成し得るように構成されており、
上記金網フェンスを構成する上記単位金網の下部の菱形金網を、上記軸線から外側に屈曲することにより上記金網フェンスの外側に向かう動物進入防止用折り返しを形成し得るものであり、
又は、上記立柱の上端部を外側に向けて屈曲し、該屈曲部に沿って上記単位金網の上端部側の菱形金網を、上記軸線から外側に向けて屈曲することにより忍び返しを形成し得るものであることを特徴とする組立用金網。
【発明の詳細な説明】
【技術分野】
【０００１】
本発明は山、川等の搬入困難な場所に設立する金網フェンスの組立用金網に関するものである。
【背景技術】
【０００２】
従来、菱形金網フェンスは金網製造機によって製造され、広く長い菱形金網であったため、面積が広く、山又は川等に搬送するため、巻き回し、又は折り畳む必要があって、搬送困難であり、搬送後において支柱間の距離に展開調整する必要があり、山間又は河川における菱形金網の搬送及び菱形金網フェンスの構築作業には困難を伴った。
【０００３】
上記菱形金網フェンスの山間や河川等への搬送に際し、菱形金網にジグザグ線同士を平行方向に互いに接近させて縮め、列線方向に小さく折り畳み又は丸めて長いまま梱包する方法が用いられたが、梱包された上記金網の重量が大で搬送困難であり、フェンスへの展開作業及びフェンス設計及び構築作業が複雑で時間を要した（特許文献１、２）。
【０００４】
又、フェンスの上端の「忍び返し」（特許文献２）や下端の「折り返し」（特許文献３）の構築に特別の設計を要した。
【先行技術文献】
【特許文献】
【０００５】
【特許文献１】特開２０１０−３１５７１号
【特許文献２】特許第４２０４４０４号
【特許文献３】特許第３９５４８１１号
【特許文献４】特開２００７−２９１６９９号
【発明の概要】
【発明が解決しようとする課題】
【０００６】
本発明は折り畳んで山間、河川等に手持ち搬送容易であり、かつ容易に接続して菱形金網を簡便に構築し、かつ上端の「忍び返し」や下端の「進入防止用折り返し」を簡便に形成構築することのできる組立用金網を得ることを目的とする。
【課題を解決するための手段】
【０００７】
上記の目的を達成するため本発明は、
複数の等長ジグザグ螺旋条を組合せ、かつ両端部を揃え、該ジグザグ螺旋条のそれぞれ両端部に軸線挿通用リングを形成してほぼ長方形菱形金網を形成し、複数の上記菱形金網を上記ジグザグ螺旋条の方向に上記リングを重合させて接続配置し、上記重合リングに鉄線又は紐類による軸線を挿通し、該軸線の両側に配置した上記菱形金網を該軸線を中心として開閉自在に接続して単位金網を形成してなる組立用金網であって、上記菱形金網が上記ジグザグ螺旋条の方向に長く、上記軸線方向に短いほぼ長方形であり、地面に設けた立柱間に、上記単位金網を縦方向に、横方向の上記軸線で接続し、上記単位金網を横方向に複数列接続して、これらの単位金網を上記立柱間に挿入されたコイルにより結線すると共に、上記単位金網の横方向に隣接する上記菱形金網は縦向連結線によって横方向に接続することにより金網フェンスを形成し得るように構成されており、上記金網フェンスを構成する上記単位金網の下部の菱形金網を、上記軸線から外側に屈曲することにより上記金網フェンスの外側に向かう動物進入防止用折り返しを形成し得るものであり、又は、上記立柱の上端部を外側に向けて屈曲し、該屈曲部に沿って上記単位金網の上端部側の菱形金網を、上記軸線から外側に向けて屈曲することにより忍び返しを形成し得るものであることを特徴とする組立用金網によって構成される。
【発明の効果】
【０００８】
従って、長さの比較的短い数条からなる等長ジグザグ螺旋条による上記単位金網を軸線を中心線として、その両側の上記ほぼ長方形菱形金網を両側に展開し、又は中心線から折り畳むことができる。
【０００９】
このように形成した単位金網は、上記中心線から折り畳み、労務者がそれぞれ１〜４個程度の単位金網を脇に抱え、又は肩に担いで目的地に搬送することができる。
【００１０】
目的地では地面に施工された立柱間に上記折り畳み単位金網を搬送して軸線を隣接単位金網の重合リングに挿通して該単位金網を縦横に複数単位張設し、さらに軸線を中心とし、その両側に単位金網を縦横に（図５（ロ）図、図６（ロ）図）展開する。
【００１１】
上記展開単位金網の両端には各ジグザグ螺旋条の両端に形成した軸線挿通用リングに軸線を挿通し、これを上記立柱にコイル鉄線等で該展開単位金網を支持して立柱間に展開単位金網を張設することができる。この展開単位金網は上記立柱に沿って複数段に該立柱間に張設して、金網フェンスを形成し得るばかりでなく、金網フェンスの上縁の屈曲支柱間に「忍び返し」、下縁に「進入防止用折り返し」を設けることができる。
【図面の簡単な説明】
【００１２】
【図１】２重展開単位金網を示す正面図である。
【図２】３重展開単位金網を示す正面図である。
【図３】平行単位金網の側部接続状態の拡大正面図である。
【図４】２重展開単位金網の軸線を中心とする折畳状態平面図である。
【図５】（イ）図は図１の２重展開単位金網の横方向展開図、（ロ）図は（イ）図に示す横方向単位金網を立柱間に縦横にそれぞれ２個宛接続して組立てた菱形金網の正面図である。
【図６】（イ）図は図１の２重展開単位金網の縦方向展開図、（ロ）図は（イ）図に示す縦方向単位金網を立柱間に縦方向に２個宛、横方向に４個宛接続して組立てた菱形金網の正面図である。
【図７】（イ）図は地面に設立した上記組立菱形金網下部と地面との間に「進入防止用折り返し」を設けた状態の側面図、（ロ）図は（イ）図の上記金網の上部に「忍び返し」を設けた状態の側面図である。
【発明を実施するための形態】
【００１３】
８条〜１２条よりなるそれぞれ長さ４００ｍｍ程度のジグザグ螺旋条１，１の屈曲部を、それぞれ交差させて組合せ２，２することにより、ほぼ長方形の菱形金網３を２〜３個形成する。
【００１４】
上記ジグザグ螺旋条１，１のそれぞれ両端部は揃えられ、各両端部にはそれぞれ軸線４，４を挿通する２重巻きリング５，５を上記長方形菱形金網３，３の両端リング５，５の中心線６，６にそれぞれ巻き回して形成する。上記菱形金網３，３は、それぞれ一方の上記中心線６，６を符合させて隣接させることにより、隣接する上記リング５，５は、互いに重合し、上記中心線６，６を中心に巻き回されているため、該中心線６，６に沿う鉄線又は紐類（ロープ）による軸線４は上記隣接重合リング５，５内を中心線６に沿って挿通させることができ、それによって上記菱形金網３，３は軸線４によって接続し、該軸線４を中心に隣接菱形金網３，３を図４矢印ａに示すように折り畳み又は開くことができ、単位金網３’が形成される。
【００１５】
上記紐類（ロープ）による軸線４によれば、該軸線４を直線状に展開し、金網３，３を折り畳み重合させた後、該紐類を環状に曲げることができる。
【００１６】
図１、図２、図５（イ）図及び図６（イ）図に示すように軸線４を中心に開いた単位金網３’，３’は地面７に予め立設した立柱８，８間に図５（ロ）図に示すように横方向に並べ、さらに軸線４によって中央部の重合リング５，５を接続し、図３に示すように連結線９によって上下に接続することができる。
【００１７】
又、図１、図２及び図６（イ）図に示すように、単位金網３’を縦方向に２又は３個接続したほぼ長方形菱形金網３，３，３による単位金網３’は図６（ロ）図に示すように、地面７に設けた立柱８，８間に縦方向に横方向の軸線４で複数列接続し、さらに該立柱８，８間にコイル１０，１０等による結線で張設することができる。又、図６（ロ）図に示す横方向に隣接する各縦向金網３，３は、図３に示す横向連結線９に代えて縦向連結線（図示していない）によって横方向に接続することができる。
【００１８】
又、図７（イ）図に示すように上記金網フェンス３”の下部に外側に向う動物進入防止用折り返し１１を上記単位金網３’を複数横方向に並べて接続し、さらに図７（ロ）図に示すように立柱８，８の上端部を外側に向けて屈曲８’し、屈曲部間に単位金網３’を横向に軸線４で接続して、忍び返し１２を形成することができる。
【００１９】
尚、図中４’で示すものは軸線４の両端屈曲部である。
【産業上の利用可能性】
【００２０】
上記立柱８，８の間隔及び高さは、上記単位金網３’の横向長さ及び縦向幅（図５（イ）図に示す）又は縦向長さ及び横向幅（図６（イ）図に示す）の予定倍数によって予め計測され、予め山間又は河川の予定場所に立設される。
【００２１】
そして、上記立柱８，８と上記リング５，５とは、上記コイル１０ばかりでなく針線（図示していない）によって、結線により接続することができる。
【符号の説明】
【００２２】
１      等長ジグザグ螺旋条
２      組合せ部
３      ほぼ長方形菱形金網
３’    単位金網
４      軸線
５      軸線挿通用リング
１１    動物進入防止用折り返し
１２    忍び返し
【図１】
0005444155.tif 000002
【図２】
0005444155.tif 000003
【図３】
0005444155.tif 000004
【図４】
0005444155.tif 000005
【図５】
0005444155.tif 000006
【図６】
0005444155.tif 000007
【図７】
0005444155.tif 000008